(57)【要約】  記憶部（２０）は、第１の言語の置換対象の用語と、置換対象の用語に対する第２の言語の訳語とを対応づけて含む第１の情報（３１）と、置換対象の用語の代わりに使用される第１の言語の代替用語と、代替用語に対する第２の言語の訳語とを対応づけて含む第２の情報（３２）と、を記憶する。置換部（２２ａ）は、原文章に含まれる置換対象の用語を代替用語に置換し、翻訳用文章を生成する。通信部（１８）は、翻訳機能を有する第１の外部装置（４）から翻訳用文章に対する翻訳文を取得する。復元部（２２ｂ）は、翻訳用文章の翻訳文に含まれる代替用語の訳語を、置換対象の用語の訳語に復元し、原文章の翻訳文を生成する。表示部（１４）は、原文章の翻訳文内の置換対象の用語の訳語を強調して、原文章の翻訳文を表示する。
2018198806.tif 000002
【特許請求の範囲】
【請求項１】
第１の言語の原文章を取得し、前記原文章に対する第２の言語の翻訳文を表示する翻訳装置であって、
前記第１の言語の置換対象の用語と、前記置換対象の用語に対する前記第２の言語の訳語とを対応づけて含む第１の情報と、前記置換対象の用語の代わりに使用される前記第１の言語の代替用語と、前記代替用語に対する前記第２の言語の訳語とを対応づけて含む第２の情報と、を記憶する記憶部と、
前記原文章に含まれる前記置換対象の用語を前記代替用語に置換し、翻訳用文章を生成する置換部と、
前記第１の言語から前記第２の言語への翻訳機能を有する第１の外部装置に、前記翻訳用文章を出力し、前記第１の外部装置から前記翻訳用文章に対する前記第２の言語の翻訳文を取得する通信部と、
前記翻訳用文章の翻訳文に含まれる前記代替用語の訳語を、前記置換対象の用語の訳語に復元し、前記原文章の翻訳文を生成する復元部と、
前記原文章の翻訳文内の前記置換対象の用語の訳語を強調して、前記原文章の翻訳文を表示する表示部と、
を備える、翻訳装置。
【請求項２】
前記表示部は、前記原文章内の前記置換対象の用語を強調して、前記原文章を表示する、
請求項１に記載の翻訳装置。
【請求項３】
前記第１の外部装置は、前記第２の言語から前記第１の言語への翻訳機能を有し、
前記通信部は、前記第１の外部装置に、前記翻訳用文章の翻訳文を出力し、前記第１の外部装置から前記翻訳用文章の翻訳文に対する前記第１の言語の前記翻訳用文章の再翻訳文を取得し、
前記復元部は、前記翻訳用文章の再翻訳文に含まれる前記代替用語を、前記置換対象の用語に復元し、前記原文章の再翻訳文を生成し、
前記表示部は、前記原文章の再翻訳文内の前記置換対象の用語を強調して、前記原文章の再翻訳文を表示する、
請求項２に記載の翻訳装置。
【請求項４】
前記原文章の再翻訳文内の前記置換対象の用語の強調表示の方法は、前記原文章内の前記置換対象の用語の強調表示の方法と同一である、
請求項３に記載の翻訳装置。
【請求項５】
前記第１の外部装置は、前記第２の言語から前記第１の言語への翻訳機能を有し、
前記通信部は、前記第１の外部装置に、前記翻訳用文章の翻訳文を出力し、前記第１の外部装置から前記翻訳用文章の翻訳文に対する前記第１の言語の前記翻訳用文章の再翻訳文を取得し、
前記復元部は、前記翻訳用文章の再翻訳文に含まれる前記代替用語を、前記置換対象の用語に復元し、前記原文章の再翻訳文を生成し、
前記表示部は、前記原文章の再翻訳文内の前記置換対象の用語を強調して、前記原文章の再翻訳文を表示する、
請求項１に記載の翻訳装置。
【請求項６】
前記第１の情報において、前記置換対象の用語は前記置換対象の用語の種別を示すクラスに分類されて登録されていて、
前記第２の情報は、前記クラス毎に前記代替用語を含み、
前記置換部は、前記原文章内において前記置換対象の用語の代わりとして置き換える前記代替用語を、前記クラスに基づいて、決定する、
請求項１に記載の翻訳装置。
【請求項７】
前記原文章の翻訳文内の前記置換対象の用語の訳語の強調表示の方法は、前記クラス毎に異なる、
請求項６に記載の翻訳装置。
【請求項８】
前記第１の情報は、前記置換対象の用語に対応付けられた付加情報をさらに含み、
前記代替用語への置換及び前記置換対象の用語の訳語への復元を行ったときは、前記表示部は、前記原文章の翻訳文と共に前記付加情報を表示する、
請求項１に記載の翻訳装置。
【請求項９】
前記原文章に前記置換対象の用語が含まれていないが、前記原文章の翻訳文に前記置換対象の用語の訳語が含まれている場合、前記原文章の翻訳文内の前記置換対象の用語の訳語を強調して、前記原文章の翻訳文を表示する、
請求項１に記載の翻訳装置。
【請求項１０】
前記原文章に前記置換対象の用語が含まれていないが前記原文章の翻訳文に前記置換対象の用語の訳語が含まれているときの前記原文章の翻訳文内の前記置換対象の用語の訳語の強調表示の方法は、前記原文章に前記置換対象の用語が含まれているときの前記原文章の翻訳文内の前記置換対象の用語の訳語の強調表示の方法と異なる、
請求項９に記載の翻訳装置。
【請求項１１】
前記原文章に前記置換対象の用語が含まれていないが、前記原文章の翻訳文に前記置換対象の用語の訳語が含まれている場合、前記表示部は、前記原文章の翻訳文が正しいか否かを確認するための確認文をさらに表示する、
請求項１に記載の翻訳装置。
【請求項１２】
前記置換対象の用語は、特定の分野のみで使用される専門用語、又は一部の場所若しくは地域のみで使用される用語である、
請求項１に記載の翻訳装置。
【請求項１３】
前記強調表示の方法は、有彩色、下線、囲み線、斜体、大文字及び太字のうちの少なくとも１つを含む、
請求項１に記載の翻訳装置。
【請求項１４】
発話を取得する入力部をさらに備え、
前記通信部は、前記発話の音声データを第２の外部装置に出力し、前記第２の外部装置から前記音声データに対する前記原文章を取得する、
請求項１に記載の翻訳装置。
【発明の詳細な説明】
【技術分野】
【０００１】
本開示は、一の言語で入力した文章を他の言語に翻訳する翻訳装置に関する。
【背景技術】
【０００２】
特許文献１は、ユーザにより入力された英語のテキストを日本語のテキストに翻訳する電子辞書装置を開示している。この電子辞書装置は、事前に登録しておいた登録単語が、入力された英語のテキスト中に含まれている場合は、翻訳結果である日本語のテキスト内において登録単語に対応する訳語を英語に置き換えて表示している。すなわち、登録単語については英語の状態で表示し、登録単語以外の部分については日本語に翻訳された状態で表示している。例えば、「cheap」が登録単語として登録されていた場合、「This is a cheap bag.」の翻訳結果として、「これは、cheapかばんです。」を出力している。さらに、特許文献１の電子辞書装置は、訳／決定キーの押下に応じて、英語及び日本語のテキスト中の登録単語及びその訳語を下線付きで表示している。これにより、ユーザが、登録単語についての語学学習をできるようにしている。
【先行技術文献】
【特許文献】
【０００３】
【特許文献１】特許第４９２９６３２号公報
【発明の概要】
【０００４】
本開示は、第１の言語の文章（例えば、発話文）を取得し、文章の内容を第２の言語に翻訳して出力する翻訳装置であって、注目すべき用語の視認性を向上させる翻訳装置を提供する。
【０００５】
本開示の一態様の翻訳装置は、第１の言語の原文章を取得し、原文章に対する第２の言語の翻訳文を表示する翻訳装置であって、記憶部と、置換部と、通信部と、復元部と、表示とを備える。記憶部は、第１の言語の置換対象の用語と、置換対象の用語に対する第２の言語の訳語とを対応づけて含む第１の情報と、置換対象の用語の代わりに使用される第１の言語の代替用語と、代替用語に対する第２の言語の訳語とを対応づけて含む第２の情報と、を記憶する。置換部は、原文章に含まれる置換対象の用語を代替用語に置換し、翻訳用文章を生成する。通信部は、第１の言語から第２の言語への翻訳機能を有する第１の外部装置に、翻訳用文章を出力し、第１の外部装置から翻訳用文章に対する第２の言語の翻訳文を取得する。復元部は、翻訳用文章の翻訳文に含まれる代替用語の訳語を、置換対象の用語の訳語に復元し、原文章の翻訳文を生成する。表示部は、原文章の翻訳文内の置換対象の用語の訳語を強調して、原文章の翻訳文を表示する。
【０００６】
本開示の翻訳装置によれば、注目すべき用語の視認性を向上させることができる。すなわち、ユーザは、表示されたテキストの中から注目すべき特定の用語を簡単に見つけることができる。
【図面の簡単な説明】
【０００７】
【図１】図１は、実施の形態１における翻訳装置の外観を示す図である。
【図２】図２は、実施の形態１における翻訳システムの電気的な構成を示すブロック図である。
【図３】図３は、置換処理を説明するための図である。
【図４】図４は、登録語辞書の一例を示す図である。
【図５】図５は、代替語辞書の一例を示す図である。
【図６】図６は、置換情報の一例を示す図である。
【図７】図７は、実施の形態１における翻訳装置の制御部による翻訳処理を示すフローチャートである。
【図８】図８は、実施の形態１における通常処理による翻訳文の生成及び表示処理を示すフローチャートである。
【図９】図９は、置換処理による翻訳文の生成及び表示処理を示すフローチャートである。
【図１０Ａ】図１０Ａは、登録用語の置換を説明するための図である。
【図１０Ｂ】図１０Ｂは、登録用語の訳語への復元を説明するための図である。
【図１１Ａ】図１１Ａは、実施の形態１における翻訳結果の表示例を示す図である。
【図１１Ｂ】図１１Ｂは、実施の形態１における翻訳結果の表示例を示す図である。
【図１２】図１２は、実施の形態２における通常処理の翻訳文の生成及び表示処理を示すフローチャートである。
【図１３】図１３は、実施の形態２における翻訳結果の表示例を示す図である。
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、発明者は、当業者が本開示を十分に理解するために添付図面および以下の説明を提供するのであって、これらによって請求の範囲に記載の主題を限定することを意図するものではない。
【００１０】
（実施の形態１）
以下、図１〜図１１Ｂを用いて、実施の形態１を説明する。
【００１１】
［１−１．構成］
図１は、実施の形態１にかかる翻訳装置の外観を示す図である。図１に示す翻訳装置１は、例えばタブレットタイプの翻訳装置であり、言語が異なる２人のユーザの会話を翻訳する翻訳装置である。すなわち、翻訳装置１は、第１の言語（例えば、日本語）から第２の言語（例えば、英語）への翻訳と、第２の言語（例えば、英語）から第１の言語（例えば、日本語）への翻訳とを行うことができる。以下、本実施の形態においては、日本語を話すホスト（例えば、案内者）と英語を話すゲスト（例えば、旅行者）とが対面で行う会話を、翻訳装置１が翻訳することを想定して説明する。
【００１２】
翻訳装置１は、マイク１０と、スピーカ１２と、ディスプレイ１４と、タッチパネル１６とを備える。マイク１０及びスピーカ１２は、例えば、翻訳装置１の側面の開口近傍に配置されている。ディスプレイ１４及びタッチパネル１６は、翻訳装置１の主面に配置されている。ディスプレイ１４の長手方向の一方側（例えば、ホスト側）の領域には、発話アイコン１４ｈ及び表示領域１５ｈが配置される。ディスプレイ１４の長手方向の他方側（例えば、ゲスト側）の領域には、発話アイコン１４ｇ及び表示領域１５ｇが表示される。各発話アイコン１４ｈ、１４ｇに対して、ユーザによるタッチ操作がなされる。
【００１３】
発話アイコン１４ｈは、ホストが発話を行うときに、すなわち、日本語（第１の言語）の発話を翻訳装置１に入力するときに、ホスト本人がホストの発話の開始時点及び終了時点を指定するための操作アイコンである。発話アイコン１４ｇは、ゲストが発話を行うときに、すなわち、英語（第２の言語）の発話を入力するときに、ゲスト本人がゲストの発話の開始時点及び終了時点を指定するための操作アイコンである。表示領域１５ｈ、１５ｇは、音声認識結果、翻訳結果及び逆翻訳結果等を文字列として表示するための領域である。
【００１４】
図２は、実施の形態１にかかる翻訳システムの電気的な構成を示すブロック図である。本開示の翻訳システム１００は、図１に示す翻訳装置１、音声認識サーバ３、翻訳サーバ４、及び音声合成サーバ５を有する。翻訳装置１は、インターネットのようなネットワーク２を介して、音声認識サーバ３、翻訳サーバ４、及び音声合成サーバ５のそれぞれとデータ通信を行う。
【００１５】
音声認識サーバ３は、翻訳装置１からネットワーク２を介してデジタル音声データを受信し、受信したデジタル音声データを音声認識して文字列の音声認識データ（発話文のテキストデータ）を生成するサーバである。なお、音声認識サーバ３は、第２の外部装置の一例である。
【００１６】
翻訳サーバ４は、翻訳装置１からネットワーク２を介して音声認識データを受信し、受信した音声認識データを翻訳して文字列の翻訳データ（翻訳文のテキストデータ）を生成するサーバである。翻訳サーバ４は、日本語（第１の言語）から英語（第２の言語）及び英語から日本語への翻訳機能を有する外部装置の一例である。
【００１７】
音声合成サーバ５は、翻訳装置１からネットワーク２を介して文字列の翻訳データを受信し、受信した文字列の翻訳データを音声合成して音声信号を生成するサーバである。
【００１８】
翻訳装置１は、マイク１０と、スピーカ１２と、ディスプレイ１４と、タッチパネル１６とに加えて、通信部１８と、記憶部２０と、制御部２２とを備える。
【００１９】
マイク１０は、音声をデジタル音声データに変換する装置である。具体的には、マイク１０は、音声を音声信号（アナログ電気信号）に変換し、さらに、ＡＤ変換器により音声信号をデジタル音声データに変換する。マイク１０は、発話（音声）又は発話文（テキスト）を翻訳装置１に入力する入力部の一例である。
【００２０】
通信部１８は、Ｂｌｕｅｔｏｏｔｈ（登録商標）、Ｗｉ−Ｆｉ（登録商標）、３Ｇ、ＬＴＥ（登録商標）、ＩＥＥＥ８０２．１１等の通信方式に従って、ネットワーク２を介して音声認識サーバ３、翻訳サーバ４、及び音声合成サーバ５とデータ通信を行う通信モジュールである。
【００２１】
記憶部２０は、フラッシュメモリ、強誘電体メモリ、ＨＤＤ、ＳＳＤ、ＲＡＭ、及びこれらの組み合わせなどで構成される記録媒体である。記憶部２０は、マイク１０からのデジタル音声データ、音声認識データ、及び翻訳データを格納する。また、記憶部２０は、制御部２２のための各種プログラムを格納している。さらに、本実施の形態において、記憶部２０は、登録語辞書３１、代替語辞書３２、及び置換情報３３を格納する。登録語辞書３１には、置換対象となる特定の用語（登録用語）が登録されている。代替語辞書３２は、翻訳時に置換対象の代わりに使用される用語（代替用語）を含む。置換情報３３は、置き換え前の用語と置き換え後の用語との対応付けを示す情報である。
【００２２】
制御部２２は、置換部２２ａと、復元部２２ｂとを含む。置換部２２ａは、発話文のテキストデータ（音声認識データ）に含まれる登録用語を代替用語に置換して、翻訳用文章を生成する。復元部２２ｂは、翻訳用文章に対する翻訳文のテキストデータ（翻訳データ）に含まれる代替用語の訳語を登録用語の訳語に復元する。制御部２２は、ＣＰＵ、ＭＰＵ等で構成され、記憶部２０に格納された各種プログラムを実行することにより、翻訳装置１の全体の動作を制御する。本実施の形態では、制御部２２の機能は、ハードウェアとソフトウェアの協同により実現するが、所定の機能を実現するように専用に設計されたハードウェア回路のみで実現してもよい。すなわち、制御部２２は、ＣＰＵ、ＭＰＵのみならず、ＤＳＰ、ＦＰＧＡ、ＡＳＩＣ等で構成することができる。
【００２３】
スピーカ１２は、電気信号を音声に変換する装置である。スピーカ１２は、制御部２２からの音声信号（電気信号）に基づいた音声を出力する。スピーカ１２は、翻訳結果の音声又はテキストを外部に出力する出力部の一例である。
【００２４】
ディスプレイ１４は、画像を表示する装置であり、液晶表示デバイスまたは有機ＥＬ表示デバイスで構成される。ディスプレイ１４は、表示領域１５ｈ、１５ｇにおいて、制御部２２からの音声認識データ、翻訳データ、及び、逆翻訳データが示す画像を表示する。ディスプレイ１４は、音声認識データ、翻訳データ、及び、逆翻訳データをホスト及びゲストに対して表示する表示部の一例である。また、ディスプレイ１４は上述した発話アイコン１４ｈ、１４ｇを表示する。
【００２５】
タッチパネル１６は、ユーザが操作する操作部であり、ユーザからの指示を受け付ける。タッチパネル１６はディスプレイ１４に重畳して配置されている。
【００２６】
［１−２．置換処理の概要］
本実施の形態の翻訳システム１００は、発話文の一部の用語を、一旦、別の用語（代替用語）に置き換えてから翻訳する機能を有する。本明細書において、このように発話文の一部の用語を、一旦、別の用語（代替用語）に置き換えてから翻訳する処理を「置換処理」と呼ぶ。通常、第１の言語から第２の言語への機械翻訳を精度良く行うためには、機械翻訳を行う翻訳サーバ４の翻訳エンジンに非常に多くの用語を学習させる必要がある。しかし、大量の用語を短期間で翻訳エンジンに登録して学習させることは難しい。また、一般的でない用語（特定の用語）を翻訳エンジンに学習させた場合、他の一般的な用語の翻訳に影響を及ぼしてしまうため、他の一般的な用語が正しく翻訳されない場合がある。そのため、本開示の翻訳システム１００は、このような特定の用語については、置換処理を行って、翻訳エンジンにおいて特定の用語の翻訳をせずに、発話文全体の翻訳結果を出力する。具体的には、本開示の翻訳システム１００は、特定の用語が発話文に含まれる場合は、特定の用語を一般的な用語（代替用語）に置き換えて翻訳用文章を作成し、その翻訳用文章を翻訳する。その後、翻訳システム１００は、翻訳用文章に対する翻訳結果の訳文に含まれる、一般的な用語（代替用語）に対応する訳語を、元の特定の用語に対する訳語に復元する処理を行う。
【００２７】
図３は、このような置換処理の流れの一例を示している。図３の例では、「手荷物カウンター」を意味する用語Ｔ１が置き換え対象となる特定の用語である。また、「東京駅」を意味する用語Ｔ２が用語Ｔ１の代わりに使用される一般的な用語（代替用語）である。用語Ｔ１と「Baggage counter」の日英対訳は、翻訳装置１に予め記憶されている。まず、発話者が原文章として「手荷物カウンターはこちらです。」を意味する文章Ｗ１と発話すると（図３（１）参照）、特定の用語である用語Ｔ１が代替用語である用語Ｔ２に置き換えられる。そして、翻訳用文章として、「東京駅はこちらです。」を意味する文章Ｗ２というテキストデータ（音声認識データ）が生成される（図３（２）参照）。このテキストデータが翻訳サーバ４の翻訳エンジンにより「Tokyo Station is here.」のテキストデータ（翻訳データ、翻訳用文章の翻訳文）に翻訳される（図３（３）参照）。最後に、「Tokyo Station」が、代替用語（用語Ｔ２）により置換された用語Ｔ１の訳語「Baggage counter」に置き換えられて、「Baggage counter is here.」が原文章の翻訳文として出力される（図３（４）参照）。このように、置換処理においては、置換対象の用語Ｔ１を翻訳エンジンにおいて翻訳せずに、発話文である文章Ｗ１の翻訳結果を出力する。
【００２８】
図３に示すような置換処理による翻訳を行うために、本実施の形態の翻訳装置１は、登録語辞書３１、代替語辞書３２、及び置換情報３３を有する。図４〜図６を参照して、登録語辞書３１、代替語辞書３２、及び置換情報３３について、説明する。
【００２９】
図４は、登録語辞書３１の一例を示している。登録語辞書３１には、置き換え対象となる特定の用語が登録されている。特定の用語とは、一般的でない用語であって、例えば、特定の分野のみで使用される専門用語や、一部の場所又は地域のみで使用される用語である。特定の用語は、ホストがゲストに注目してもらいたい用語、及び翻訳エンジンによる機械翻訳では正確に翻訳されにくい用語を含む。登録語辞書３１に含まれる用語は、単語及び語句を含む。登録語辞書３１は、複数の言語による対訳で記載された用語と、その用語に関連付けられた付加情報とを含む。本明細書において、登録語辞書３１内の複数の言語による対訳で記載された用語のうち、発話者の言語で記載された用語を「登録用語」と呼び、翻訳される言語で記載された用語を「登録用語の訳語」と呼ぶ。登録語辞書３１は、登録用語の種別を示すクラス毎に設けられる。クラスは、用語を分類するものであって、用語が示す対象のカテゴリ（ジャンル）である。クラスは、例えば、地名、食べ物を含む。付加情報は、例えば、クラスが地名であれば、登録用語が示す場所の写真やアクセス手段を示す情報である。
【００３０】
図５は、代替語辞書３２の一例を示している。代替語辞書３２は、翻訳時に登録用語の代わりに使用される代替用語を含む。代替語辞書３２に含まれる代替用語は、翻訳エンジンにおいて正確に翻訳される一般的な用語である。代替語辞書３２に含まれる代替用語は、単語及び語句を含む。代替語辞書３２に含まれる用語は、登録語辞書３１と同一種類の複数の言語（本実施の形態において、日本語及び英語）の対訳で記載される。本明細書において、代替語辞書３２内の複数の言語の対訳で記載された用語のうち、発話者の言語で記載された用語を「代替用語」と呼び、翻訳される言語で記載された用語を「代替用語の訳語」と呼ぶ。代替語辞書３２は、各クラスにつき、１つ以上の代替用語とその訳語とを含む。
【００３１】
図６は、置換情報３３の一例を示している。置換情報３３は、置き換え前の用語（置換対象の登録用語）と置き換え後の用語（代替用語）とが対応付けられたものである。図３に示すように用語Ｔ１が用語Ｔ２に置き換えられた場合は、置き換え前の用語として用語Ｔ１が記録され、置き換え後の用語として用語Ｔ２が記録される。
【００３２】
［１−３．動作］
［１−３−１．全体動作］
以上のように構成された翻訳システム１００の動作について、図７〜図１１Ｂを参照して説明する。本実施の形態において、翻訳エンジンは翻訳サーバ４に搭載されている。翻訳装置１は翻訳サーバ４に発話文のテキストデータ（文字列の音声認識データ）を送信し、翻訳サーバ４から翻訳結果を示す翻訳文のテキストデータ（文字列の翻訳データ）を取得する。
【００３３】
図７は、翻訳装置１の制御部２２による動作を示すフローチャートである。まず、翻訳装置１の制御部２２は、マイク１０を介して、発話者の発話（音声）に応じたデジタル音声データを取得する（Ｓ１）。
【００３４】
制御部２２は、音声認識処理により、発話文を取得する（Ｓ２）。具体的には、制御部２２は、デジタル音声データを、ネットワーク２を介して音声認識サーバ３に送信する。音声認識サーバ３は、受信したデジタル音声データを音声認識して、発話文のテキストデータを生成する。翻訳装置１は、音声認識サーバ３からネットワーク２を介して、発話文のテキストデータを受信する。
【００３５】
制御部２２は、発話文内において、登録語辞書３１に含まれる登録用語を検索する（Ｓ３）。そして、制御部２２は、発話文内に登録用語があるか否かを判断する（Ｓ４）。発話文内に登録用語がなければ（Ｓ４でＮｏ）、制御部２２は、通常処理により翻訳文を生成して表示する（Ｓ５）。発話文内に登録用語があれば（Ｓ４でＹｅｓ）、制御部２２は、置換処理により翻訳文を生成して表示する（Ｓ６）。
【００３６】
制御部２２は、翻訳文の表示と同時に、翻訳文を音声で出力してもよい。この場合、制御部２２は、ステップＳ５又ステップＳ６によって生成された翻訳文のテキストデータを、ネットワーク２を介して、音声合成サーバ５に送信する。音声合成サーバ５は、翻訳装置１から受信した翻訳文のテキストデータに基づき、音声合成を行って音声信号を生成し、ネットワーク２を介して翻訳装置１に音声信号を送信する。制御部２２は、音声合成サーバ５から受信した音声信号に基づき、スピーカ１２から翻訳結果を示す音声を出力する。
【００３７】
［１−３−２．通常処理による翻訳］
図８を参照して、通常処理による翻訳文の生成及び表示（Ｓ５）について具体的に説明する。図８は、発話文内に登録用語がない場合（Ｓ４でＮｏ）の翻訳文の生成及び表示に関する通常処理（Ｓ５）の詳細を示している。制御部２２は、通常処理においては、発話文を置換せずにそのまま翻訳する。例えば、図３の例において、発話者（ホスト）が原文章として文章Ｗ２を発話すると、文章Ｗ２のテキストが翻訳エンジンにおいて「Tokyo Station is here.」のテキストに翻訳される。
【００３８】
まず、翻訳装置１の制御部２２は、発話文（原文章）のテキストデータを、ネットワーク２を介して、翻訳サーバ４に送信する（Ｓ５０１）。翻訳サーバ４は、発話文を翻訳して、翻訳文のテキストデータを生成する。翻訳サーバ４は、翻訳文のテキストデータを、ネットワーク２を介して、翻訳装置１に送信する。翻訳装置１は、翻訳サーバ４からネットワーク２を介して、翻訳文のテキストデータを受信する（Ｓ５０２）。
【００３９】
制御部２２は、発話文をディスプレイ１４に表示する（Ｓ５０３）と共に、翻訳結果である翻訳文をディスプレイ１４に表示する（Ｓ５０４）。ステップＳ５０３及びステップＳ５０４における表示方法は通常の表示であって、例えば、発話文及び翻訳文の文字は黒色で表示される。発話文の表示（Ｓ５０３）と翻訳文の表示（Ｓ５０４）は、同時に行ってもよいし、順番に行ってもよい。例えば、翻訳サーバ４から翻訳文のテキストを受信する前に発話文を先に表示してもよい。すなわち、ステップＳ５０２よりも前にステップＳ５０３を実行してもよい。
【００４０】
［１−３−３．置換処理による翻訳］
図９、図１０Ａ及び図１０Ｂを参照して、置換処理による翻訳文の生成及び表示（Ｓ６）について具体的に説明する。図９は、発話文内に登録用語がある場合（Ｓ４でＹｅｓ）の翻訳文の生成及び表示に関する置換処理（Ｓ６）の詳細を示している。図１０Ａは登録用語の置換を説明するための図であり、図１０Ｂは登録用語の訳語への復元を説明するための図である。以下の説明では、ホスト（案内者）が発した日本語の発話（音声）を翻訳システム１００が英語に翻訳し、その翻訳結果をゲスト（旅行者）に伝達する場面を想定して説明する。具体的には、図３に示すように、ホストが原文章として文章Ｗ１と発話し、その翻訳結果の「Baggage counter is here.」がゲストに対して表示される場合を例にして説明する。
【００４１】
図９に示すように、翻訳装置１の制御部２２は、発話文内に登録用語がある場合、まず、発話文の中の登録用語をクラスに応じた代替用語に置換する（Ｓ６０１）。図１０Ａに示すように、登録語辞書３１には、用語Ｔ１が置換対象の登録用語として登録されている。また、用語Ｔ１が属するクラスは「地名」である。代替語辞書３２には、クラス「地名」に属する代替用語として用語Ｔ２が登録されている。よって、制御部２２は、クラス「地名」に基づいて、代替語辞書３２から代替用語である用語Ｔ２を選択する。そして、制御部２２は、発話文である文章Ｗ１の文中の用語Ｔ１を用語Ｔ２に置き換える。
【００４２】
制御部２２は、置換対象の登録用語と置き換え後の代替用語とを対応付けて置換情報３３として記録する（Ｓ６０２）。例えば、図１０Ｂの置換情報３３に示すように、用語Ｔ１が置き換え前の用語として記録され、用語Ｔ２が置き換え後の用語として記録される。
【００４３】
制御部２２は、ネットワーク２を介して、発話文の置換後である翻訳用文章のテキストデータを翻訳サーバ４に送信する（Ｓ６０３）。ここでは、代替用語である用語Ｔ２を含む文章Ｗ２を示すテキストデータが送信される。翻訳サーバ４は、受信した翻訳用文章のテキストデータを翻訳して、翻訳文のテキストデータを生成する。ここでは、翻訳サーバ４は、文章Ｗ２を「Tokyo Station is here.」に翻訳する。翻訳サーバ４は、翻訳文のテキストデータを、ネットワーク２を介して、翻訳装置１に送信する。翻訳装置１の制御部２２は、翻訳サーバ４からネットワーク２を介して、翻訳文のテキストデータを受信する（Ｓ６０４）。
【００４４】
制御部２２は、翻訳文内における代替用語の訳語を置換対象の登録用語の訳語に復元する（Ｓ６０５）。ここでは、「Tokyo Station is here.」が「Baggage counter is here.」に復元される。具体的には、まず、制御部２２は、図１０Ｂに示す置換情報３３から、置き換え後の代替用語が用語Ｔ２であることを特定する。制御部２２は、代替語辞書３２から用語Ｔ２に対応する訳語「Tokyo Station」を読み出して、翻訳文において「Tokyo Station」を検索する。さらに、制御部２２は、置換情報３３から、置き換え前の置換対象の登録用語が用語Ｔ１であることを特定する。制御部２２は、登録語辞書３１から用語Ｔ１に対応する訳語「Baggage counter」を読み出して、翻訳文内の「Tokyo Station」を「Baggage counter」に置き換える。
【００４５】
制御部２２は、置換対象の登録用語を強調して発話文をディスプレイ１４の表示領域１５ｈ（ホスト側）に表示する（Ｓ６０６）。制御部２２は、置換対象の登録用語の訳語を強調して翻訳文をディスプレイ１４の表示領域１５ｇ（ゲスト側）に表示する（Ｓ６０７）。強調表示の方法として、例えば、下線、囲み線、斜体、大文字、太字、及び有彩色（通常表示が無彩色の場合）による表示がある。制御部２２は、さらに、登録語辞書３１から、置換対象の登録用語に関連付けられている付加情報を取得して、その付加情報をディスプレイ１４の表示領域１５ｇ（ゲスト側）に表示する（Ｓ６０８）。発話文の表示（Ｓ６０６）と翻訳文の表示（Ｓ６０７）と付加情報の表示（Ｓ６０８）は、同時に行ってもよいし、順番に行ってもよい。例えば、翻訳サーバ４から翻訳文のテキストを受信する前に発話文を先に表示してもよい。すなわち、ステップＳ６０４よりも前にステップＳ６０６を実行してもよい。
【００４６】
図１１Ａは、通常処理（Ｓ５）によって生成された翻訳文の表示例を示している。通常処理によって翻訳文が生成された場合、ホスト側の表示領域１５ｈ内の発話文６１及びゲスト側の表示領域１５ｇ内の翻訳文６２の両方において、通常の表示が行われる。例えば、文字列が黒色で表示される。
【００４７】
図１１Ｂは、置換処理（Ｓ６）によって生成された翻訳文の表示例を示している。置換処理によって翻訳文が生成された場合、ホスト側の表示領域１５ｈ内の発話文７１及びゲスト側の表示領域１５ｇ内の翻訳文７２において、それぞれ、登録用語及びその訳語が強調表示されている。具体的には、登録用語及びその訳語の文字列に下線が付けられている。さらに、置換処理による翻訳文が表示されるときは、付加情報７３が翻訳文７２と共に表示されている。
【００４８】
登録用語及びその訳語の強調表示は、通常の表示と区別できるものであればよい。また、登録用語及びその訳語の強調表示の方法は、クラス（地名、食べ物など）に応じて、異ならせてもよい。例えば、「地名」のクラスのときの強調表示では、黒色の文字列を下線付きで表し、「食べ物」のクラスのときの強調表示では、文字列を有彩色で表してもよい。他の例では、「地名」のクラスのときの強調表示では文字列を赤色にし、「食べ物」のクラスのときの強調表示では文字列を青色にしてもよい。
【００４９】
このように、本実施の形態の翻訳装置１は、発話文に含まれる登録用語と翻訳文に含まれる登録用語の訳語とを強調して表示する。ホスト（発話者）は、発話文の強調表示を視認することによって、置換処理が行われたことが分かる。すなわち、ホスト（発話者）は、登録語辞書３１に登録した登録用語の訳語が翻訳文に含まれていることを、発話文の強調表示により確認することができる。また、ゲストは、翻訳文の強調表示によって、登録用語の訳語を翻訳文内から簡単に見つけ出すことができる。登録語辞書３１に登録されている登録用語は、ホストがゲストに正確に伝えたい用語である。すなわち、登録用語は、ゲストに注目してもらいたい用語である。登録用語の訳語を強調表示することによって、注目すべき用語の視認性が向上する。
【００５０】
［１−４．効果等］
以上のように、本実施の形態の翻訳装置１は、第１の言語（例えば、日本語）の原文章（例えば、発話文）を取得し、原文章に対する第２の言語（例えば、英語）の翻訳文を表示する翻訳装置であって、記憶部２０と、置換部２２ａと、通信部１８と、復元部２２ｂと、ディスプレイ１４（表示部の一例）とを備える。記憶部２０は、第１の言語の置換対象の用語（登録用語）と、置換対象の用語に対する第２の言語の訳語（登録用語の訳語）とを対応づけて含む登録語辞書３１（第１の情報）と、登録用語の代わりに使用される第１の言語の代替用語と、代替用語に対する第２の言語の訳語（代替用語の訳語）とを対応づけて含む代替語辞書３２（第２の情報）と、を記憶する。置換部２２ａは、原文章に含まれる登録用語を代替用語に置換し、翻訳用文章を生成する。通信部１８は、第１の言語から第２の言語への翻訳機能を有する翻訳サーバ４（第１の外部装置の一例）に、翻訳用文章を出力し、翻訳サーバ４から翻訳用文章に対する第２の言語の翻訳文を取得する。復元部２２ｂは、翻訳用文章の翻訳文に含まれる代替用語の訳語を、登録用語の訳語に復元し、原文章の翻訳文を生成する。ディスプレイ１４は、原文章の翻訳文内の登録用語の訳語を強調して、原文章の翻訳文を表示する。強調表示の方法は、有彩色、下線、囲み線、斜体、大文字、及び太字のうちの少なくとも１つを含む。
【００５１】
翻訳文に含まれる登録用語の訳語を強調して表示することによって、ゲストは、登録用語の訳語を翻訳文内から簡単に見つけ出すことができる。登録用語は、特定の分野のみで使用される専門用語、又は一部の場所又は地域のみで使用される用語である。登録語辞書３１に登録されている登録用語は、ホストがゲストに正確に伝えたい用語であって、且つゲストに注目してもらいたい用語である。登録用語の訳語を強調表示することによって、注目すべき用語の視認性が向上する。
【００５２】
ディスプレイ１４は、発話文に含まれる登録用語を強調して、発話文を表示する。よって、ホスト（発話者）は、発話文の強調表示を視認することによって、置換処理が行われたことが分かる。すなわち、ホスト（発話者）は、登録語辞書３１に登録した登録用語の訳語が翻訳文に含まれていることを、発話文の強調表示により確認することができる。
【００５３】
具体的には、登録語辞書３１において、登録用語は登録用語の種別を示すクラスに分類されて登録されている。また、代替語辞書３２は、クラス毎に代替用語を含む。置換部２２ａは、発話文内において登録用語の代わりとして置き換える代替用語を、クラスに基づいて、決定する。翻訳文に含まれる登録用語の訳語の強調表示の方法は、クラス毎に異なってもよい。
【００５４】
登録語辞書３１は、登録用語に対応付けられた付加情報をさらに含んでもよい。そして、代替用語への置換及び登録用語の訳語への復元を行ったときは、ディスプレイ１４は、翻訳文と共に付加情報を表示してもよい。これにより、ゲストは、注目すべき用語に関連する情報をその用語と共に見ることができる。
【００５５】
（実施の形態２）
翻訳装置１の別の実施の形態を説明する。実施の形態１においては、発話文に登録用語が含まれているときに、登録用語とその訳語を強調表示する場合について説明した。しかし、発話文に登録用語が含まれていない場合であっても、翻訳文に登録用語の訳語が含まれている場合がある。本実施の形態では、このように発話文に登録用語が含まれていないが、翻訳文に登録用語の訳語が含まれている場合の表示方法について説明する。
【００５６】
図１２は、実施の形態２における、発話文内に登録用語がない場合（Ｓ４でＮｏ）の翻訳文の生成及び表示に関する通常処理（Ｓ５）の詳細を示している。図１２のステップＳ５１１、Ｓ５１２、Ｓ５１７、及びＳ５１８は、実施の形態１の図８のステップＳ５０１、Ｓ５０２、Ｓ５０３、及びＳ５０４とそれぞれ同一である。本実施の形態では、ステップＳ５１３〜Ｓ５１６が新たに追加されている。
【００５７】
以下、英語を話すゲスト（買い物客）と日本語を話すホスト（店員）とが対面で行う会話を、翻訳装置１が翻訳することを想定して説明する。具体的には、ゲストが「Can I get a burger with cheese?」と発話し、ホストに対して翻訳結果である翻訳文８２（図１３参照）のテキストを表示する場合について説明する。また、以下の例において、登録語辞書３１には「Cheese burger」及び「チーズバーガー」を意味する用語Ｔ３が日英対訳で登録されている。しかし、登録語辞書３１には「burger with cheese」は登録されていない。本実施の形態においては、発話者（ゲスト）の言語が英語であるため、「Cheese burger」を「登録用語」と呼び、翻訳される言語（日本語）で記載された用語Ｔ３を「登録用語の訳語」と呼ぶ。
【００５８】
翻訳装置１の制御部２２は、翻訳サーバ４から翻訳文のテキストデータを受信すると、その翻訳文内に登録用語の訳語が含まれているか否かを判断する（Ｓ５１３）。登録用語の訳語が翻訳文内に含まれていた場合（Ｓ５１３でＹｅｓ）、制御部２２は、発話文については通常表示を行い（Ｓ５１４）、翻訳文については登録用語の訳語を強調して表示する（Ｓ５１５）。さらに、発話文には登録用語が含まれていないが、翻訳文には登録用語の訳語が含まれている。そのため、制御部２２は、翻訳結果が正しいか否かを確認するための確認文の表示を行う（Ｓ５１６）。なお、表示に関するステップＳ５１４，Ｓ５１５，Ｓ５１６は、同時に行われても良いし、順番に行われてもよい。
【００５９】
図１３は、ステップＳ５１４〜Ｓ５１６の表示の一例を示している。登録語辞書３１には「burger with cheese」の用語が登録されていないため、発話文８１の「Can I get a burger with cheese?」は、通常表示（例えば、黒色）で表示されている。翻訳文８２においては、登録用語の訳語である用語Ｔ３が強調表示（例えば、斜体）で表示されている。
【００６０】
また、ホスト側の表示領域１５ｈには、翻訳が正しいか否か、すなわち、注文がチーズバーガーでよいかどうかを確認するための確認文８３が表示されている。確認文８３には、発話の「burger with cheese」ではなく、登録用語の「Cheese burger」が含まれている。ホストは、確認文８３を見ることによって、翻訳が正しいか否かを、その後の会話の中で、ゲストに確認することができる。この場合、ゲストが注文した「a burger with cheese」が「Cheese burger」のことであるか否かを会話でゲストに確認することができる。なお、確認文８３の表示に加えて、翻訳が正しいか否かをゲストに確認する文を表示するための確認ボタン８４をディスプレイ１４のホスト側に表示してもよい。この場合、ホストが確認ボタン８４をタッチすると、「Cheese burger」でよいか確認するための英文が、ゲスト側の表示領域１５ｇに表示されるようにしてもよい。
【００６１】
置換処理における発話文及び翻訳文の強調表示（Ｓ６０６、Ｓ６０７）の方法と、通常処理において翻訳文に登録用語の訳語が含まれているときの翻訳文の強調表示（Ｓ５１５）の方法は、同一であってもよいし、異ならせても良い。例えば、置換処理における強調表示（Ｓ６０６、Ｓ６０７）においては文字列を赤色にし、通常処理における強調表示（Ｓ５１５）においては文字列を青色にしてもよい。
【００６２】
このように、本実施の形態の翻訳装置１は、発話文に登録用語が含まれていないが、翻訳文に登録用語の訳語が含まれている場合に、翻訳文に含まれる登録用語の訳語を強調して、翻訳文を表示する。発話文に登録用語が含まれていないが翻訳文に登録用語の訳語が含まれているときの翻訳文内の登録用語の訳語の強調表示は、発話文に登録用語が含まれているときの翻訳文内の登録用語の訳語の強調表示と異ならせてもよい。本実施の形態の翻訳装置１は、発話文に登録用語が含まれていないが、翻訳文に登録用語の訳語が含まれている場合、翻訳文が正しいか否かを確認するための確認文８３をさらに表示する。これにより、登録用語の訳語（注目すべき用語）の視認性が向上する。ホストは、翻訳文８２内の登録用語の訳語（例えば、用語Ｔ３）及び確認文８３の中の登録用語（例えば、Cheese burger）を見ることによって、ゲストの要望を認識することができる。この場合、ゲストの注文がチーズバーガーである可能性があることを認識することができる。それと同時に、翻訳文８２の一部が強調表示されると共に確認文８３が表示されることによって、ホストは、翻訳が間違っている可能性があることを認識することができる。
【００６３】
（他の実施の形態）
以上のように、本出願において開示する技術の例示として、実施の形態１，２を説明した。しかしながら、本開示における技術は、これに限定されず、適宜、変更、置き換え、付加、省略などを行った実施の形態にも適用可能である。また、上記実施の形態１，２で説明した各構成要素を組み合わせて、新たな実施の形態とすることも可能である。そこで、以下、他の実施の形態を例示する。
【００６４】
上記の実施の形態１の置換処理において、翻訳装置１は、発話文を表示するときに置換対象の登録用語を強調して表示し（Ｓ６０６）、翻訳文を表示するときに置換対象の登録用語の訳語を強調して表示した（Ｓ６０７）。しかし、発話文及び翻訳文のいずれか一方又は両方における強調表示は、ユーザの所定の操作に基づいて行ってもよい。具体的には、例えば、ホストが発話した発話文において置換対象の登録用語が強調表示され、且つ翻訳文が通常表示された状態において、ホストが所定のボタンや登録単語表示エリアの近傍に触れたときに、翻訳文において置換対象の登録用語の訳語が強調表示されるようにしてもよい。また逆に、ゲストが発話した発話文において置換対象の登録用語が強調表示され、且つ翻訳文が通常表示された状態において、ゲストが所定のボタンや登録単語表示エリアの近傍に触れたときに、翻訳文において置換対象の登録用語の訳語が強調表示されるようにしてもよい。
【００６５】
登録用語のそれぞれについて、強調表示の方法を予め設定できるようにしてもよい。すなわち、各登録用語について、下線、囲み線、斜体、大文字、太字、及び有彩色などの強調表示の方法を登録語辞書３１内に登録しておいてもよい。この場合、発話文及び翻訳文における強調表示は、登録語辞書３１に登録された強調表示の方法に従って行ってもよい。また、ユーザの所定の操作に基づいて強調表示を行う場合、各登録用語について、その所定の操作の方法を登録語辞書３１内に登録しておいてもよい。この場合、発話文及び翻訳文における強調表示は、登録語辞書３１に登録された所定の操作が行われた後に、行ってもよい。
【００６６】
また、上記の実施の形態１の置換処理において、翻訳文を表示するときに（Ｓ６０７）、クラス名を表示してもよい。例えば、図１１Ｂにおいて、置換対象の登録用語の訳語「Baggage counter」の文字の近傍に、クラス名の「地名」の文字を吹き出し等によって表示してもよい。また、発話文を表示するとき（Ｓ６０６）も同様に、置換対象の登録用語の近傍にクラス名を吹き出し等によって表示してもよい。
【００６７】
登録語辞書３１に、正式名称と、発話される可能性のある正式名称と類似する用語とを対応付けて登録してもよい。そして、発話文に正式名称が含まれていなかった場合でも、発話文の表示（Ｓ６０６）においては、正式名称を表示してもよい。例えば、予め、正式名称の「手荷物カウンター」と類似用語の「手荷物受け付けカウンター」を対応付けて登録語辞書３１に登録しておく。そして、発話者が「手荷物受け付けカウンターはこちらです。」と発話し、翻訳装置１が置換処理を行った場合、発話文として「手荷物カウンターはこちらです。」を表示してもよい。
【００６８】
上記の実施の形態の翻訳装置１は、発話の言語（例えば、日本語）を他の言語（例えば、英語）に翻訳して得られた翻訳結果である翻訳文を、元の言語（例えば、日本語）に翻訳する逆翻訳機能をさらに有してもよい。この場合、翻訳装置１は、置換された状態の翻訳文を翻訳サーバ４に送信し、翻訳サーバ４から逆翻訳文を取得する。例えば、図３の例では、翻訳文「Tokyo Station is here.」のテキストデータを翻訳サーバ４に送信し、翻訳サーバ４から逆翻訳文である文章Ｗ２のテキストデータを取得する。そして、置換情報３３を参照して、逆翻訳文である文章Ｗ２に含まれる代替用語の用語Ｔ２を登録用語の用語Ｔ１に戻して、表示する。このとき、図１に示すように、逆翻訳結果の再翻訳文の表示において、登録用語を強調表示してもよい。このとき、再翻訳文内の登録用語の強調表示の方法は、発話文内の登録用語の強調表示の方法と同一であってもよい。例えば、図１の例では、両方の登録用語の強調表示の方法は下線である。これにより、ユーザは、発話文内の登録用語と、逆翻訳文内の登録用語との関係を理解しやすくなる。
【００６９】
上記の実施の形態では、音声認識を音声認識サーバ３で行い、翻訳を翻訳サーバ４で行い、音声合成を音声合成サーバ５で行ったが、本開示はこれに限定されない。音声認識、翻訳及び音声合成の少なくとも一つの処理を翻訳装置１内で行ってもよい。例えば、翻訳装置１（端末）に、音声認識サーバ３、翻訳サーバ４、及び音声合成サーバ５と同一の機能を全て搭載して、翻訳装置１のみで翻訳に関連する全ての処理を行うようにしてもよい。この場合、翻訳装置１は、通信部１８を有さなくてもよい。
【００７０】
上記の実施の形態では、日本語と英語の間の翻訳の例を示した。しかし、翻訳対象とする言語は、日本語と英語に限定されず、他の言語（中国語、独語、仏語、スペイン語、韓国語、タイ語、ベトナム語、インドネシア語等）でもよい。
【００７１】
なお、上記実施の形態において、翻訳装置１は、マイク１０で入力した発話文を翻訳したが、発話以外で入力した入力文を翻訳してもよい。すなわち、翻訳装置１は、キーボードやマウスなどで入力した入力文を翻訳してもよい。つまり、本開示の翻訳装置１は、発話文および入力文などの文章を翻訳するときに、文章中の置換対象の用語を代替用語に置換して翻訳する。そして、翻訳文に含まれる代替用語の訳語を、代替用語により置換された置換対象の用語に対する訳語に復元し、置換対象の用語の訳語を強調して、翻訳文を表示する。
【００７２】
以上のように、本開示における技術の例示として、実施の形態を説明した。そのために、添付図面および詳細な説明を提供した。
【００７３】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００７４】
また、上述の実施の形態は、本開示における技術を例示するためのものであるから、請求の範囲またはその均等の範囲において種々の変更、置き換え、付加、省略などを行うことができる。
【産業上の利用可能性】
【００７５】
本開示は、発話者の音声に基づき翻訳する翻訳装置に適用可能である。
【符号の説明】
【００７６】
１      翻訳装置
２      ネットワーク
３      音声認識サーバ
４      翻訳サーバ（第１の外部装置）
５      音声合成サーバ
１０    マイク（入力部）
１２    スピーカ（出力部）
１４    ディスプレイ（表示部）
１６    タッチパネル（操作部）
１８    通信部
２０    記憶部
２２    制御部
２２ａ  置換部
２２ｂ  復元部
３１    登録語辞書（第１の情報）
３２    代替語辞書（第２の情報）
３３    置換情報
１４ｈ、１４ｇ  発話アイコン
１５ｈ、１５ｇ  表示領域
１００  翻訳システム
【図１】
2018198806.tif 000003
【図２】
2018198806.tif 000004
【図３】
2018198806.tif 000005
【図４】
2018198806.tif 000006
【図５】
2018198806.tif 000007
【図６】
2018198806.tif 000008
【図７】
2018198806.tif 000009
【図８】
2018198806.tif 000010
【図９】
2018198806.tif 000011
【図１０Ａ】
2018198806.tif 000012
【図１０Ｂ】
2018198806.tif 000013
【図１１Ａ】
2018198806.tif 000014
【図１１Ｂ】
2018198806.tif 000015
【図１２】
2018198806.tif 000016
【図１３】
2018198806.tif 000017
【国際調査報告】
2018198806.tif 000018
2018198806.tif 000019
2018198806.tif 000020